(57)【要約】【課題】、意匠図案が認識できる程度の細かいメッシュであっても、意匠図案プリントによる目詰まりを生じることなく、通気性を確保出来ながら、図案意匠が認識できるところの意匠感に優れた網戸を提供すること。【解決手段】網戸の枠体１に敷設される５００乃至１８０のポリエステルメッシュ２の少なくとも一面に、昇華染料による任意の意匠図案３が熱転写されている。【選択図】      図１
2004316391.tif 000002
【特許請求の範囲】
【請求項１】
網戸であって、
網戸の枠体１に敷設される５００乃至１８０のポリエステルメッシュ２の少なくとも一面に、昇華染料による任意の意匠図案３が熱転写されていることを特徴とする網戸。
【請求項２】
上記ポリエステルメッシュ２が３００乃至３８０メッシュであることを特徴とする請求項の網戸。
【請求項３】
上記ポリエステルメッシュ２を構成する縦又は横の１本の糸が、ポリエステルと他の合成繊維との撚糸であることを特徴とする請求項１又は請求項２の網戸。
【請求項４】
上記ポリエステルメッシュ２が、ポリエステルと他の合成繊維との任意の比率の混紡として構成されていることを特徴とする請求項１又は請求項２の網戸。
【請求項５】
上記ポリエステルメッシュ２が、枠体に折り畳み自在に構成されていることを特徴とする請求項１乃至請求項４の網戸。
【発明の詳細な説明】
【０００１】
【発明の属する分野】
本発明は、網戸に関し、更に詳しくは、表面に意匠がプリントされている網戸に関する。
【０００２】
【従来の技術】
一般に、網戸としては、通気性及び害虫等の侵入を防ぐ程度のメッシュに構成された網を枠体に嵌め込んで構成されている。
こうした網戸の網は、初期の金属線から、合成樹脂繊維からなる糸状態をメッシュ状に編んだものに変わってきており、更に、こうした合成樹脂繊維も、強度、折り畳み保形性等を必要とする折り畳み式網戸を構成するのに適した謂機能性繊維が用いられるようになってきている。
【０００３】
ところが、こうした網戸は、通気性、防虫性、折り畳み機能等に対する改善についの研究、提案は数多くなされてきたが、意匠感については、網戸自体を所要の色に着色することはあっても、これに対して所要の図案等を施すことは試みられてこなかった。その為、網戸自体に意匠感が乏しく、殺伐とした雰囲気を生み出していた。
【０００４】
こうした意匠を施してこなかった理由として考えられるのは、一つには、これまでの網戸の目が、十分な通気性を確保するために、防虫性を配慮しながら、出来るだけ粗くなるように構成されていて、こうした粗いメッシュに図案を何等かの手段によって描いてみても、その図案が本来の意匠を認識できるのに十分な現れ方をしなかったことが挙げられる。
【０００５】
【発明が解決しようとする課題】
そこで、本発明者は、意匠図案が、少なくとも遠め目に見て十分にその意匠が何であるかを認識できるようにするため、どの程度の目（メッシュ）にすればよいのかについて研究を行った。
その結果、出来るだけ細かい目であることは必要であるが、１８０乃至５００メッシュ程度であれば良いことが分かった。
【０００６】
そこで、外気に晒される網戸としての対候性を配慮してナイロン等の化繊をもってメッシュを編成し、これに所定の意匠図案を、顔料プリント（インクジェット方式）によって施したところ、意匠が認識できる程度のプリントが出来たのであるが、メッシュが細かいために、インクが繊維糸の上に乗るだけでなく、僅かに周囲に回りこみ、細かい目を潰してしまい、通気性の悪化という問題が発生することが分かった。
【０００７】
本発明は、かかる問題点に鑑み、意匠図案が認識できる程度の細かいメッシュであっても、意匠図案プリントによる目詰まりを生じることなく、通気性を確保出来ながら、図案意匠が認識できるところの意匠感に優れた網戸を提供することを目的とする。
【０００８】
【課題を解決するための手段】
本発明にかかる網戸は、上記目的を達成するために、網戸であって、網戸の枠体に敷設される５００乃至１８０のポリエステルメッシュの少なくとも一面に、昇華染料による任意の意匠図案が熱転写されている、という手段を講じたものである。
ここにいう意匠図案とは、図形、幾何学模様、文字、絵画、任意画像の写真等の意匠を表す全てのものを言う。
【０００９】
【発明の実施の形態】
本発明において、上記ポリエステルメッシュが３００乃至３８０メッシュであることが望ましい。  この範囲のメッシュであれば、十分な通気性を確保しながら、意匠図案が遠目に見て、明確に認識できるものである。尚、前記メッシュは、織り、編みの何れによって構成されても良い。
【００１０】
そして、上記ポリエステルメッシュを構成する縦又は横の１本の糸が、ポリエステルと他の合成繊維との撚糸であるのが望ましい。
要するに、昇華染料が浸透可能なポリエステルが所要の割合（好ましくは５０％以上）で含まれていれば、上記意匠図案の十分な認識が可能な転写が出来るものである。
【００１１】
また、上記ポリエステルメッシュが、ポリエステルと他の合成繊維との任意の比率の混紡として構成されている場合も本発明の目的を達成できる。即ち、細かいメッシュであるので、そのメッシュを構成する縦、横の糸のうち、ポリエステルの糸を多く使用しながら他の合成繊維を用いても、所要の意匠図案を十分に認識できる転写が可能である。この場合、縦糸のみ或いは横糸のみを他の合成繊維とポリエステル繊維との所定割合の使用とすることも、縦、横の両方についても合成繊維とポリエステル繊維との所定割合で使用することも含む。
【００１２】
更に、上記ポリエステルメッシュが、枠体に折り畳み自在に構成されていることも好ましい。最近の網戸としては、種々の利点を持つ折り畳み式の網戸が普及してきており、これが主流となってきている。
前記ポリエステルメッシュを折り畳み自在に加工しても、それを開いて（伸ばして）使用するときには、その意匠図案が現れることになるので、本発明の目的が達成される。
【００１３】
尚、ポリエステルメッシュの糸が不透明又は半透明になるように所定の色で着色されておれば、生地の全面として所定の有色のベースにはなるが、前記昇華染料による任意の意匠の熱転写が、その両面に転写されても、透明な糸とは異なり、表裏で別々の意匠図案が表現可能となる。
【００１４】
【実施例】
以下、本発明にかかる網戸の好適実施例について、図面を参照して詳述する。図１は、本発明にかかる網戸の全体の斜視図であり、１は、枠体であって、２は、この枠対に敷設されたポリエステルメッシュである。
前記ポリエステルメッシュ２は、この実施例では、３６０メッシュポリエステル１００％のものである。そして、その一面に、昇華染料（分散昇華染料インク）による任意の意匠図案、ここでは、文字のＡが熱転写されている。尚、前記３６０のポリエステルメッシュ２は、通気性及び意匠図案の再現（遠目での認識）に好適である。
【００１５】
上記ポリエステルメッシュ２に対する昇華染料による意匠図案の熱転写（昇華転写捺染）は、次ぎの公知の装置と方法で行なわれる。
熱転写用の用紙（離型紙）への印刷は、グラビア、フレキソ印刷、フラット／ロータリースクリーン或いはインクジェット行なわれる。前記ポリエステルメッシュ２への熱転写は、２００℃程度の温度で、加圧され、その昇華した染料成分の浸透染色により行なわれる。この加圧は、平板のプレス機でも、ロール方式のものでもよい。
【００１６】
こうした熱転写が終了した状態で、網戸としての所要に寸法に裁断され、その枠体１に敷設される。前記枠体１としては、図示の如き固定枠であってもよく、また、ポリエステルメッシュ２が、枠体１に折り畳み自在に構成されている場合には、カーテンレールの如き構成として、アコーデオン方式に折り畳み操作が出来る構成のものを用いることも出来る。
【００１７】
また、上記ポリエステルメッシュ２を構成する縦又は横の１本の糸が、ポリエステルと他の合成繊維（ナイロンその他）との撚糸であってもよい。要するに、昇華染料の浸透染色が可能なポリエステルが主要として用いられておれば、本発明の目的は達成出来る。
【００１８】
同様に、上記ポリエステルメッシュ２が、ポリエステルと他の合成繊維との任意の比率の混紡として構成されていても、本発明の目的は達成出来る。即ち、メッシュを構成するに、ポリエステルの糸と他の合成繊維糸とを交互に配置したり、２対１或いは３対１の割合で配置するようにする。
【００１９】
【発明の効果】
本発明に係る網戸によれば、網戸としての通気性、防虫性を確保しながら、意匠図案が認識できる程度の細かいメッシュとし、且つ、インクをメッシュに上塗りするのではなく、ポリエステルメッシュへの浸透染色によって、前記上塗り方式のプリントによるメッシュの目詰まりを生じることなく、図案意匠が十分に認識（遠目で）できるところの意匠感に優れた網戸を提供できるに至ったものである。
本発明のその他の利点は、発明の実施の態様の項及び実施例の項において詳述したとおりである。
【図面の簡単な説明】
【図１】本発明にかかる網戸の全体の斜視図である。
【符号の説明】
１  枠体
２  ポリエステルメッシュ
３  意匠図案
【図１】
2004316391.tif 000003